(57)【特許請求の範囲】
【請求項１】
螺子軸が一体に形成された引留具本体の該螺子軸にナットを螺締することにより引込線が止着される引込線引留具と、前記螺子軸が螺合される雌螺子孔が形成された固定部材とからなり、該固定部材を家屋等の所要外壁面に固定し、該固定部材の前記雌螺子孔に前記螺子軸を少なくとも１回転以上螺入しつつも非締結状態にすることにより、前記引込線引留具が該固定部材に搖動自在に係留されるようにしたことを特徴とする引込線係留構造。
【発明の詳細な説明】
【技術分野】
【０００１】
本発明は、光ドロップケーブル等の引込線を家屋等の加入者施設に引き込むための引込線係留構造に関するものである。
【背景技術】
【０００２】
光ドロップケーブル（ドロップ型光ファイバケーブル）は、周知のようにポリエチレンシース中に支持線と光ファイバとを一体的に配設した引込線で、架空から家屋等の加入者施設への光ファイバ線の引き込みを容易にするものである。
図１１にポール間に架設されたメッセンジャーワイヤからこの光ドロップケーブルを家屋に引き込む際の従来から採られている構成を示す。同図中、１はポール間に架設されたメッセンジャーワイヤ、２は該メッセンジャーワイヤに沿って配設された光ドロップケーブルである。５０は該メッセンジャーワイヤ１に分線金物５１を用いて止着したフック金具である。５２は下記特許文献１等に示された引込線引留具で、該引込線引留具５２に突設された掛止環５３を前記フック金物５０に係合するとともに、光ドロップケーブル２の光ファイバ線２ａから支持線２ｂを部分的に分離させ、該支持線２ｂを該引込線引留具５２に巻き付けることにより光ドロップケーブル２を該メッセンジャーワイヤ１から分岐させている。なお、２ｃは該光ドロップケーブル２の光ファイバ線２ａと支持線２ｂとの分離部に巻着した粘着テープである。
また、図１２は、ポール５５に固定バンド５６によってフック金具５７を固定し、該フック金具に図１１と同様の掛止環５３，引込線引留具５２を係留し、光ドロップケーブル２を該ポール５５から家屋等に引き込むのに従来から採られている構成である。
一方、図１３は、家屋の外壁面５７に固定金具５８をビス５９により固定し、該固定金具５８に形成されたフック部６０に前記と同様に掛止環５３，引込線引留具５２を係留し、前記メッセンジャーワイヤ１または前記ポール５５から引き込まれた光ドロップケーブル２を該外壁面５７に係留する従来からの構成を示す。
【０００３】
また、特許文献２は、引留具本体に螺子軸が形成され、該螺子軸にナットを締め込むことにより、メッセンジャーワイヤに止着できる引込線引留具を示している。
【先行技術文献】
【特許文献】
【０００４】
【特許文献１】登録実用新案第３１１７５０９号公報
【特許文献２】特開２００３−２８４２２８号公報
【発明の概要】
【発明が解決しようとする課題】
【０００５】
ところで、図１１〜図１３に示したように、掛止環５３をフック金物５０に係合することで引込線引留具５２を家屋外壁面やポール、或いはメッセンジャーワイヤに係留した構造では、強風時等に該引込線引留具５２が激しく揺れることで、掛止環５３がフック金物５０を激しく打ちたたき騒音を発するとともに、該掛止環５３がフック金物５０から外れてしまうおそれがあった。
また、特許文献１に示された引込線引留具を使用するに際しては、メッセンジャーワイヤや通信線補強用の支持線に固定するための分線金具のフック金具、ポールに固定するための分線金具のフック金具、家屋外壁面に固定する固定金具等、それぞれ別の金具を必要とするために、部品点数が多く、コストが高くなるという問題があった。
【０００６】
また、特許文献２に示された引込線引留具は、使用するに際し支持線を引き留めるための吊具が引留具本体とは別に必要であるとともに、該吊具が強風によって揺れ動くことで該引留具本体のフック部から脱落するおそれがあり、該吊具は絡まり易い形状であったので工場から出荷するに際して梱包に苦慮するという問題がある。
本発明はこのような問題点を解決し得る引込線係留構造を提供しようとするものである。
【課題を解決するための手段】
【０００７】
そのために本発明に係る引込線係留構造は、螺子軸が一体に形成された引留具本体の該螺子軸にナットを螺締することにより引込線が止着される引込線引留具と、前記螺子軸が螺合される雌螺子孔が形成された固定部材とからなり、該固定部材を家屋等の所要外壁面に固定し、該固定部材の前記雌螺子孔に前記螺子軸を少なくとも１回転以上螺入しつつも非締結状態にすることにより、前記引込線引留具が該固定部材に搖動自在に係留されるようにしたことを特徴とする。
【発明の効果】
【０００８】
本発明に係る引込線係留構造によれば、簡単に引込線を係留することができるとともに、強風等により引込線が揺れても大きな騒音が出たり、外れるおそれなく確実に、しかも引込線にストレスを掛けることなく引込線を係留することができる。また、所要部品点数が少ないのでコストが軽減される。
【図面の簡単な説明】
【０００９】
【図１】本発明に係る引込線係留構造の引留具本体の斜視図。
【図２】本発明に係る引込線係留構造の引留具本体の側面図。
【図３】本発明に係る引込線係留構造のナットの斜視図。
【図４】本発明に係る引込線係留構造の固定部材の斜視図。
【図５】本発明に係る引込線係留構造の固定部材の正面図。
【図６】本発明に係る引込線係留構造の斜視図。
【図７】図６のＡ−Ａ線断面矢視図。
【図８】本発明に係る引込線係留構造の斜視図。
【図９】本発明に係る引込線引留具の使用状態を示した斜視図。
【図１０】図９のＢ−Ｂ線断面矢視図。
【図１１】従来の引込線引留具の使用状態を示した斜視図。
【図１２】従来の引込線引留具の使用状態を示した斜視図。
【図１３】従来の引込線引留具の使用状態を示した斜視図。
【発明を実施するための最良の形態】
【００１０】
この引込線引留具は、図１，図２に示した合成樹脂製の引留具本体１０と、図３に示した合成樹脂製のナット２０とからなる。引留具本体１０は基板部１１に螺子軸１２が一体に形成され、該螺子軸１２の基部を刳るような形態にて切込１３を形成し、該切込１３と相対するように突壁１４を該基板部１１の端縁に一体に形成することにより窪所１５を該螺子軸１２と突壁１４との間に形成するとともに、該窪所１５内の底部中央に溝１６を形成している。なお、１７はこの引留具本体１０の各部の肉厚を均一化するために基板部１１の両側面に形成された凹部、１８も同様に螺子軸１２の肉厚を均一化するために形成された凹部である。なお、該凹部１８内であって該螺子軸１２の先端部寄りに該螺子軸１２を横断状に貫通する貫通孔１９が形成されている。
【００１１】
また、ナット２０は、前記螺子軸１２に螺合し得る雌螺子が内周面２１に形成され、一端部の外周縁２２は六角形に形成され、他端部の端面２３は円周方向に山波形が連なる凹凸面状に形成されている。
【００１２】
一方、家屋の外壁面やポールの外壁面に固定される固定部材３０を図４，図５に示す。該固定部材３０は、周縁部に取付孔３１を形成した板状基部３２の中央に筒状部３３が一体に形成され、該筒状部３３の内周に螺子溝を形成することにより前記螺子軸１２を螺合し得る雌螺子孔３４を形成してなる。なお、３５は該筒状部３３の底部に形成された取付ベルト通し用の一対の長孔である。
【００１３】
該固定部材３０は、前記取付孔３１にビス３６を貫挿することにより図６に例示したように家屋の外壁面３７に固設され、或いは、図８に例示したように前記長孔３５に取付ベルト３８を通すことによりポールの外壁面３９に固設される。そして、前記引留具本体１０の螺子軸１２にナット２０を螺合し、該螺子軸１２の先端部を固定部材３０の雌螺子孔３４に少なくとも１回転以上螺入する。ただし、該螺子軸１２は非締結状態（ルーズ）にすることで、該引留具本体１０が該固定部材３０に対し自由に軽摩擦で回転動し得るようにする。言い換えれば、図７にも示すように、螺子軸１２を固定部材３０に対し螺合途中の状態に留め、決して締め付けないようにする。
【００１４】
図６，図８中、２は引込線たる光ドロップケーブルを示し、該光ドロップケーブルはポリエチレンシース中に光ファイバ線２ａと支持線２ｂとを分離可能に一体的に配設してなり、２ｃはその分離部の両端部に巻着した粘着テープである。こうして、光ファイバ線２ａから分離させた支持線２ｂを前記溝１６に定置したうえで前記ナット２０を螺締し、該ナット２０によって該支持線２ｂを溝１６中に止着する。こうして、引込線２が家屋等の加入者施設に配線される。
【００１５】
このように、本発明に係る引込線係留構造は、螺子軸１２の先端部を雌螺子孔３４に少なくとも１回転以上螺入しつつも非締結状態にしたことにより、引込線引留具が固定部材３０に対し搖動自在に係留されるので、強風等によって引込線２が図６に矢印で示したように搖動しても螺子軸１２が自由回転することでその搖動が吸収され、引込線２の支持線２ｂ等に余計なストレスを掛けない。このため、強風等による引込線２の破断が防止される。また、螺子軸１２の螺合部にて騒音を発生することもないとともに、搖動によって外れるおそれもない。しかも、従来の掛止環のような部品を要さず少ない部品点数で構成され、施工工事も簡単になるので、コストが大幅に軽減される。
【００１６】
一方、図９，図１０は、メッセンジャーワイヤ１に沿って配設された引込線２をこの引込線引留具を使用することで適当な位置で家屋等の加入者施設に向けて方向転換し配線する形態を示し、この場合、支持線２ｂを前記引留具本体１０に形成された溝１６に定置したうえで、メッセンジャーワイヤ１が窪所１５に定置するようにし、その状態で前記ナット２０を螺子軸１２に螺締する。これによって、メッセンジャーワイヤ１が溝１６上に覆い被さるように止着される。なお、ナット２０は、螺子軸１２に螺締することにより凹凸面状の端面２３によりメッセンジャーワイヤ１を押圧し、その凹面部に該メッセンジャーワイヤ１が入り込むことで、該ナット２０の振動等による無用な弛みが防止される。
【００１７】
この実施形態はメッセンジャーワイヤから光ドロップケーブルを引き込むものについて説明したが、その他の通信線、電線等の引込線を引き込む際にも本発明に係る引込線係留構造を採ることができる。
【符号の説明】
【００１８】
２            引込線
２ａ          光ファイバ線
２ｂ          支持線
１０          引留具本体
１１          基板部
１２          螺子軸
１５          窪所
１６          溝
２０          ナット
３０          固定部材
３４          雌螺子孔
３７，３９    外壁面
【要約】
【課題】光ドロップケーブル等の引込線を家屋等に引き込む引込線の係留構造であって、工事作業を容易にし、所要部品点数を少なくし、コストを軽減する。
【解決手段】螺子軸１２が一体に形成された引留具本体１０の該螺子軸にナット２０を螺締することにより引込線２が止着される引込線引留具と、前記螺子軸１２が螺合される雌螺子孔３４が形成された固定部材３０とからなり、該固定部材を家屋等の所要外壁面３７に固定し、雌螺子孔３４に螺子軸１２を少なくとも１回転以上螺入しつつも非締結状態にすることにより、引込線引留具が固定部材３０に搖動自在に係留されるようにした。
【選択図】図４【図１】
0005848411.tif 000002
【図２】
0005848411.tif 000003
【図３】
0005848411.tif 000004
【図４】
0005848411.tif 000005
【図５】
0005848411.tif 000006
【図６】
0005848411.tif 000007
【図７】
0005848411.tif 000008
【図８】
0005848411.tif 000009
【図９】
0005848411.tif 000010
【図１０】
0005848411.tif 000011
【図１１】
0005848411.tif 000012
【図１２】
0005848411.tif 000013
【図１３】
0005848411.tif 000014